(57)【要約】【課題】従来シートカバーは、車両本体の座席シートが汚れたり、擦れて傷むのを防止する為の物で、更に、座布団やクッションも同じで、座した時に座り心地を良くし、体を安定させ運転に適した状態を作る物では無く、この様な従来のカバーに代わる、乗員の体を運転に適した状態に安定させる座席カバーを提供する。【解決手段】い草を織成した畳表からなり、車両の座席に使用するカバーで、該カバーが座部と背もたれ部から構成され、座部は、座席の座面前方向に対して、い草の行が横方向に配列され、背もたれ部は、座席の背面上方向に対して、い草の行が縦方向に配列され、座部及び背もたれ部を縁材によって蝶着状態に成るよう、周縁部を一つの縁材で縫着したものである。【選択図】      図    ４
2004358192.tif 000002
【特許請求の範囲】
【請求項１】
い草を織成した畳表からなり、車両の座席に使用するカバーにおいて、該カバーが座部と背もたれ部から構成され、座部は、座席の座面前方向に対して、い草の行が横方向に配列され、背もたれ部は、座席の背面上方向に対して、い草の行が縦方向に配列され、座部及び背もたれ部を縁材によって蝶着状態に成るよう、周縁部を一つの縁材で縫着したことを特徴とするい草を使用した車両用座席カバー。
【発明の詳細な説明】
【０００１】
【発明の属する技術分野】
本発明は、天然のい草を織成した畳表を使用した自動車などの座席を覆うシートカバーであり、ドライバーに快適な安定感を与えるシートカバーに関する。
【０００２】
【従来の技術】
従来、車両用の座席用シートカバーは、素材として、薄手の綿、科学繊維等を使用していた、又敷物としては、座布団やクッションが使われている。
【０００３】
又、い草を織成した畳表の畳以外の用途としては、寝茣蓙や枕カバーや座布団のカバー等が一般に知られている。
【０００４】
【発明が解決しようとする課題】
前記シートカバーは、車両本体の座席シートが汚れたり、擦れて傷むのを防止する為の物であった、更に、座布団やクッションも同じで、座した時に座り心地を良くし、体を安定させ運転に適した状態を作る物ではなかった。
【０００５】
又従来敷物として使用していた座布団やクッションでは、車両本体の座席シートとの摩擦が少なく滑りすいため、座席シートの上で滑って位置がズレ易いものであった。
【０００６】
又自動車等では、乗り降りの際に、腰掛けた状態で、体の向きをドアの方向に移動させるもので、このときドア方向への摩擦が大きいと、体の向きをスムーズに移動することが難しいものであった。
【０００７】
上記の様に、車両用の座席カバーとしては、乗員の体を運転に適した状態に安定させると共に、カバー自体が座席カバーの上でズレ難く、又乗り降りの際に体を移動し易い物が好ましいものである。
【０００８】
更に、長時間の運転でも背中などに、汗をかかない等十分な通気性や肌触りを有する物が好ましいものである。
本発明は、この様な問題を解決するために成されたものである。
【０００９】
【課題を解決するための手段】
上記目的を達成するために本発明は、い草を織成した畳表を車両用座席カバーとして使用するもので、畳表の持っている方向による摩擦抵抗の違いにより、乗員を運転に適した状態に安定させると共に、カバー自体が座席カバーの上でズレ難く、又、乗り降りの際に体を移動し易くするものである。
【００１０】
即ち本発明の、い草を使用した車両用座席カバーは、い草を織成した畳表からなり、車両の座席に使用するカバーで、該カバーが座部と背もたれ部から構成され、座部は、座席の座面前方向に対して、い草の行が横方向に配列され、背もたれ部は、座席の背面上方向に対して、い草の行が縦方向に配列され、座部及び背もたれ部を縁材によって蝶着状態に成るよう、周縁部を一つの縁材で縫着したものである。
【００１１】
前記い草を織成した畳表は、い草の行に対して横方向から力が加わった場合は、摩擦が大きく殆ど移動することがないものである。
【００１２】
前記い草を織成した畳表は、い草の行に対して縦方向から力が加わった場合は、摩擦が小さくスムーズに移動することができるものである。
【００１３】
前記の様な性質を持つ、い草を織成した畳表で座部と背もたれ部とを設け、座部は、座席の座面前方向に対して、い草の行が横方向に配列され、背もたれ部は、座席の背面上方向に対して、い草の行が縦方向に配列されたものである。
【００１４】
前記座部は、主に車両の前後方向への力に対して摩擦抵抗が大きく働き、その為、乗員の体がブレーキ等による、前後への移動を抑制するものである。
【００１５】
前記背もたれ部は、主に車両の横方向への力に対して摩擦抵抗が大きく働き、その為、乗員の体がカーブ等による、左右への移動を抑制するものである。
【００１６】
更に、前記座部は、車両のドア方向即ち横方向への力に対しては、摩擦抵抗が極めて小さく働き、その為、乗員の乗り降りの際に体を移動し易くするものである。
【００１７】
【発明の実施の形態】
本発明の実施の形態を実施例にもとづき図面を参照して説明する。
本発明の主原料であるい草について、い草は冬苗を水田に植えて、夏に刈取る多年生の草本類である、い草の中には、「燈芯（とうしん）という、和蝋燭（わろうそく）の灯芯材料ですが、ふんわりした、星状の細胞組織が詰まっていて、沢山の空気を含んでおり、スポンジのようにソフトなクッション性が有ります、またい草の表面は丈夫な筋入りの表皮に覆われていて、脂肪分の粘性と適度な湿気による膨張性で、摩擦にも耐えうる構造になっています、このい草を刈取り色着けの後乾燥させるものである。それを畳織機で、約１．５センチの等間隔に配設された縦糸を交互に前後させながら、上記の乾燥させたい草を１本ずつ送り込んで、それを締め込んで織り上げて畳表を設けるものである。
【００１８】
実施例１、本発明の車両用座席カバー１は、前記様にして、い草を約４０ｃｍ四方の大きさに織り上げた畳表を座部２及び背もたれ部３の２枚設け、該座部２及び背もたれ部３の縁部４を縁材５で縫着するものである。
【００１９】
次に、前記縁材５を縫着した座部２と背もたれ部３とを、い草の行７が垂直状態と成る様に、各々縁部４の一辺を接触させ、その辺の両端部６を蝶着状態に縁材で縫着するものである。
【００２０】
次に、前記蝶着状態に縫着された座部２及び背もたれ部３で構成された車両用座席カバーを自動車等で使用する場合、座席８の座面９前方向に対して、い草の行７が横方向に配列された方を座部２とし、該座部２に対して垂直に蝶着された方を背もたれ部３とし、即ち背もたれ部３は、座席８の背面１０上方向に対して、い草の行７が縦方向に配列されものである。
【００２１】
上記い草を織成した畳表は、い草の行７に対して横方向から力が加わった場合は、摩擦が大きく殆ど移動することがない、又い草の行７に対して縦方向から力が加わった場合は、摩擦が小さくスムーズに移動することができるものである。
【００２２】
本発明は、上記実施例に限定される物では無く、座部及び背もたれ部のサイズも、使用する座席によって各々変更することが出来るものである。
又、本発明のカバーを使用する対象は、自動車等の車両だけに限定される物では無く、例えば、事務用の椅子やチャイルドシート等にも、使用する事が出来るものである。
【発明の効果】
本発明は上記した構成を成すもので、以下に記載されるような効果を奏する。
【００２３】
この様な性質を持つ、い草を織成した畳表で座部と背もたれ部とを設け、座部は、座席の座面前方向に対して、い草の行が横方向に配列され、背もたれ部は、座席の背面上方向に対して、い草の行が縦方向に配列されたもので、座部は、主に車両の前後方向への力に対して摩擦抵抗が大きく働き、その為、乗員の体がブレーキ等による、前後への移動を抑制することができ、又、背もたれ部は、主に車両の横方向への力に対して摩擦抵抗が大きく働き、その為、乗員の体がカーブ等による、左右への移動を抑制することができ、更に、座部は車両のドア方向即ち横方向への力に対しては、摩擦抵抗が極めて小さく働くもので、その為、乗員の乗り降りの際に体を移動し易くするものである。
【００２４】
前記の様に、本発明の車両用座席カバーは、乗員の体を運転に適した状態に安定させると共に、カバー自体が座席カバーの上でズレ難く、又乗り降りの際に体を移動し易くするものである。
【００２５】
又、い草に含まれ香りの素であるフィトンチッドは森林浴効果により、アロマテラピーを活発にし、長時間の運転等による疲労を回復させるものである。
【００２６】
更に、い草は湿度の調整や空気の浄化に効果があり、自動車の様に機密性の高い空間の環境を良くする効果がある。
【００２７】
その他、畳表は静電気が発生しにくく、自動車の乗り降りの際に、静電気による不快な物が起き難いものである。
【００２８】
【図面の簡単な説明】
【図１】本発明の実施例を示す平面図
【図２】本発明の実施例を示す正面図
【図３】本発明の実施例を示す平面図
【図４】本発明の実施例を示す斜視図
【符号の説明】
１    カバー
２    座部
３    背もたれ部
４    縁部
５    縁材
６    端部
７    い草の行
８    座席
９    座面
１０    背面
１１    ヘッドレスト
【図１】
2004358192.tif 000003
【図２】
2004358192.tif 000004
【図３】
2004358192.tif 000005
【図４】
2004358192.tif 000006